(57)【特許請求の範囲】
【請求項１】
壁面を構成する支持体と、前記壁面に沿って交差するように設定された複数の配列方向に配列されて前記支持体に取り付けられた複数の壁面用装飾体とを備え、前記壁面用装飾体は、外部に表出する装飾面が形成された本体部と、前記本体部の両端に配置されるとともに前記支持体に当接する一対の支持部とを備えており、前記配列方向に配列された前記壁面用装飾体は、前記支持部が隣り合うように前記支持体に取り付けられており、隣り合うように配置された前記支持部を覆うように別の前記配列方向に配列された前記壁面用装飾体の前記本体部が配置されている壁面構造。
【請求項２】
前記支持体は、直交する２つの前記配列方向に沿ってメッシュ状に形成されている請求項１に記載の壁面構造。
【請求項３】
前記配列方向に配列された前記壁面用装飾体の複数の配列群は、所定の間隔を空けて配列されている請求項１又は２に記載の壁面構造。
【請求項４】
請求項１から３のいずれかに記載された壁面構造に用いられる壁面用装飾体であって、前記本体部は、装飾面側からみて所定幅の帯状に形成されているとともに幅方向からみて湾曲形成されており、前記支持部には、前記支持体に取り付けるための取付穴が形成されている壁面用装飾体。
【請求項５】
前記本体部は、前記支持体に対向する面が前記支持部を収容可能となるように湾曲形成されている請求項４に記載の壁面用装飾体。
【発明の詳細な説明】
【技術分野】
【０００１】
本発明は、外壁、内壁、間仕切り、パーティションといった壁状構造物の壁面に好適な壁面構造及びそれに用いる壁面用装飾体に関する。
【背景技術】
【０００２】
家屋等の建築物では、構造上又はデザイン上の観点から外壁等の様々な壁状構造物が構築されており、こうした壁状構造物では壁面に装飾体を配置して機能性や外観デザイン性の向上が図られている。
【０００３】
例えば、特許文献１では、帯状に配置された縦レンガの上面と底面に、取付金具によって建物躯体と接続された第１横筋を配筋し、縦レンガの横方向に貫通した横孔に第２横筋を挿通し、第２横筋を縦筋の後方（室内側）に位置するように配筋して構成した外壁のレンガ壁面の構築方法が記載されている。また、特許文献２では、支持材と、支柱と、複数のブロックとを備え、支柱を支持材の長手方向に沿って間隔を空けて支持材の上面から複数立設し、ブロックを支柱間に係止して配置した間仕切りが記載されている。また、引用文献３では、上下に間隔をあけて配置される上側及び下側基材と、両基材の間に両者を連結するように設けられ、互いに間隔をあけて並んで配置される上下方向に延びる複数本の支持材と、支持材に貫通孔を挿通して支持材に支持された状態で積み重ねられた同じ高さの複数の意匠材とを備える装飾壁構造が記載されている。
【先行技術文献】
【特許文献】
【０００４】
【特許文献１】特開２０１１−３８３８８号公報
【特許文献２】特開２０１４−１２２４８２号公報
【特許文献３】特表２０１６−１９９９６１号公報
【発明の概要】
【発明が解決しようとする課題】
【０００５】
上述した特許文献１では、縦レンガを配筋に貫通させて配置することで支持固定するようにしているため、一部の縦レンガの破損等により修繕する際に壁面全体を修繕することが必要となり、維持管理のコスト負担が大きくならざるを得ない。また、配筋へ貫通により配置しているため、２次元配置による平面的な外観デザインに制約されることになり、デザインの自由度が小さくなることが避けられない。
【０００６】
また、特許文献２についても、ブロックを支柱間に係止して積層配置するようにしているため、特許文献１と同様に、一部のブロックが破損した場合に間仕切り全体を修繕することが必要となって、維持管理コスト負担が大きくなる。また、支柱間への係止配置によりデザイン的に制約を受けるようになる。特許文献３についても、意匠材を支持材に貫通して積層配置するようになっているため、特許文献１と同様に、維持管理コスト及び外観デザインの制約といった点で課題がある。
【０００７】
そこで、本発明は、装飾効果が高く修繕が容易な壁面構造及びそれに用いる壁面用装飾体を提供することを目的とするものである。
【課題を解決するための手段】
【０００８】
本発明に係る壁面構造は、壁面を構成する支持体と、前記壁面に沿って交差するように設定された複数の配列方向に配列されて前記支持体に取り付けられた複数の壁面用装飾体とを備え、前記壁面用装飾体は、外部に表出する装飾面が形成された本体部と、前記本体部の両端に配置されるとともに前記支持体に当接する一対の支持部とを備えており、前記配列方向に配列された前記壁面用装飾体は、前記支持部が隣り合うように前記支持体に取り付けられており、隣り合うように配置された前記支持部を覆うように別の前記配列方向に配列された前記壁面用装飾体の前記本体部が配置されている。さらに、前記支持体は、直交する２つの前記配列方向に沿ってメッシュ状に形成されている。さらに、前記配列方向に配列された前記壁面装飾体の複数の配列群は、所定の間隔を空けて配列されている。
【発明の効果】
【０００９】
本発明は、上記のような構成を備えることで、壁面用装飾体の両端の支持部が別の配列方向に配列された壁面用装飾体の本体部で覆うように配置されるので、配列方向の継ぎ目となる支持部が外部に表出せずに異なる配列方向に連続した織構造のような外観を呈するようになり、これまでにない装飾効果を得ることができる。
【００１０】
また、壁面用装飾体を両端の支持部で支持体に取り付けるようにしているので、壁面用装飾体を支持体に安定して取り付けることが可能であり、また、壁面用装飾体を個別に交換することができ、メンテナンス作業を容易に行うことが可能となる。
【図面の簡単な説明】
【００１１】
【図１】本発明に係る実施形態に関する正面側からみた一部概略構成図である。
【図２】図１に示す実施形態に関する背面側からみた一部概略構成図である。
【図３】壁面用装飾体に関する外観斜視図である。
【図４】壁面用装飾体を幅方向から見た側面図である。
【図５】壁面用装飾体を交差する方向に配列する場合の配列状態を示す説明図である。
【図６】壁面構造の変形例に関する一部概略構成図である。
【図７】壁面構造の別の変形例に関する一部概略構成図である。
【図８】壁面用装飾体の変形例に関する側面図である。
【発明を実施するための形態】
【００１２】
以下、本発明を添付図面に示す実施形態に基づいて詳しく説明する。図１は、本発明に係る実施形態に関する正面側から見た一部概略構成図であり、図２は、図１に示す実施形態に関する背面側からみた一部概略構成図である。
【００１３】
壁面構造１は、基礎１００と梁２００との間に構築されており、壁面を構成する支持体である支持部材２と、支持部材２に取り付けられた複数の壁面用装飾体３とを備えている。
【００１４】
この例では、支持部材２は、複数本の棒状配筋材２０を上下方向及び左右方向にメッシュ状に配置して構成されている。また、壁面用装飾体３は、細幅の帯状に形成されており、壁面に沿って上下方向及び左右方向に配列されて配筋材２０に取り付けられている。
【００１５】
なお、壁面用装飾体３は壁面に沿って交差するように設定された複数の配列方向に配列されていればよく、配列方向は上下方向及び左右方向に限定されない。また、こうした直交する配列方向に限定されることなく、壁面の装飾デザインに対応して様々な交差角度の配列方向に設定することができる。また、配列方向の複数の壁面用装飾体３からなる配列群は、所定の間隔を空けて配列されており、配列群の間に隙間が形成されるようになっている。そのため、間仕切り等に施工された場合に、壁面構造の向こう側が視認できるようになって開放的な装飾デザインを構築することができる。
【００１６】
支持部材２は、鉄筋、ステンレス筋等の公知の配筋材を交差させて面状に配置して形成することができる。また、建築物の外壁に壁面構造を施工する場合には、外壁に沿って支持部材２を面状に構築し、構築した支持部材２を外壁の構造部材に取り付けて固定するようにすればよい。
【００１７】
壁面用装飾体３は、支持部材２の配筋材２０の交差位置において取付部材４により背面側で取り付けている。この例では、取付部材４は、矩形の板状に形成されており、配列方向に隣り合う壁面装飾体３の端部同士を配筋材２０の交差位置に位置合わせして背面側から取付部材４が当接するように取り付けている。壁面用装飾体３としては、セラミック材料、樹脂材料、金属材料等の壁面材として用いられている公知の材料で構成することができ、複数種類の材料を組み合わせたものを用いることも可能である。また、種類の異なる材料や異なる色の材料からなる装飾体を組み合わせて用いることもできる。
【００１８】
取付部材４は、ネジ等の公知の固定部材により壁面用装飾体３の両端部に形成された取付穴に締付固定することで、交差部分の配筋材２０を挟み込むように壁面用装飾体３を支持部材２に支持固定するようになっている。なお、取付部材４としては、壁面用装飾体３を配筋材２０に安定して支持固定することができればよく、ネジ等の固定部材を挿通する穴部を形成された板状体以外の部材を用いることも可能で、特に限定されない。例えば、針金等のワイヤを壁面用装飾体に形成された取付穴に挿入して配筋材２０に巻き付けて支持固定することもできる。また、コ字状に形成された棒状の取付金具を一対の取付穴に差し込んで取付穴から突出させ、その先端部に固定金具を取り付けて配筋材を挟み込むように支持固定することも可能である。
【００１９】
図３は、壁面用装飾体に関する外観斜視図である。壁面用装飾体３は、壁面として表出する装飾面が形成された本体部３０と、本体部３０の両端に配置されるとともに支持部材２に当接する一対の支持部３１とを備えている。この例では、本体部３０は、装飾面側からみて帯状に形成されているとともに幅方向からみて湾曲した形状に形成されている。図４は、壁面用装飾体を幅方向から見た側面図である。壁面用装飾体３は、支持部３１の配筋材への当接面と本体部３０の中央部分との間の間隔ｄが支持部３１の厚さｔよりも広くなるように設定されている。そのため、一方の配列方向に配列された壁面用装飾体３の本体部３０と支持部材２との間に他方の配列方向に配列された壁面用装飾体３の支持部３１を収容することが可能となる。
【００２０】
支持部３１には、一対の取付穴３１ａが厚さ方向に貫通するように形成されており、上述したように、配筋材２０の両側に取付穴３１ａがそれぞれ位置決めされて取付部材４に支持固定されるようになっている。
【００２１】
図５は、壁面用装飾体を交差する方向に配列する場合の配列状態を示す説明図である。この例では、左右方向に配列された壁面用装飾体３は、支持部材２の配筋材２０の交差位置において支持部３１が隣り合うように取り付けられている。そして、隣り合うように配置された一対の支持部３１を覆うように上下方向に配列された壁面用装飾体３の本体部３０が配置されている。また、上下方向に配列された壁面用装飾体３についても配筋材２０の交差位置において支持部３１が隣り合うように取り付けられており、隣り合うように配置された一対の支持部３１を覆うように左右方向に配列された壁面用装飾体３の本体部３０が配置されている。
【００２２】
こうして上下方向に配列された壁面用装飾体３及び左右方向に配列された壁面用装飾体３が交差位置で本体部３０及び支持部３１を互い違いに重なり合うように配置されるようになる。そして、各配列方向の継ぎ目となる支持部３１が本体部３０で覆われるようになるため、各配列方向に壁面用装飾体３が外観上連続して配列しているように視認され、織物の平織構造と同様の外観を呈するようになる。
【００２３】
こうした平織構造以外にも様々な３次元で交差する構造を構成することが可能で、例えば、図６に示す壁面構造１’では、斜め４５度で交差する２つの配列方向に壁面用装飾体３を配列して構成されている。また、図７に示す壁面構造１”では、斜文織構造を模した壁面構造を構成しており、壁面用装飾体３’及び３”の形状を斜文織構造に合わせて形成している。このように壁面の装飾デザインに合わせて壁面用装飾体の形状を形成することで様々な壁面構造を実現することができる。
【００２４】
図８は、壁面用装飾体の変形例に関する側面図である。壁面用装飾体６は、段差状に形成されており、中央部６０を支持部６１の当接面との間の間隔が支持部６１の厚さよりも広くなるように設定されている。
【００２５】
以上説明したように、壁面用装飾体３は、両端部に形成された一対の支持部３１により支持部材２に個別に固定されているので、壁面構造が一部破損した場合には、破損した壁面用装飾体３のみを取り外して交換することができる。そのため、壁面構造のメンテナンス作業を容易に行うことが可能となる。また、壁面用装飾体を容易に交換することができるので、施工後に壁面用装飾体を交換して模様替え等を行うことも可能となり、利用者の要望に応じて臨機応変に対応することができる。
【符号の説明】
【００２６】
１・・・壁面構造、２・・・支持部材、２０・・・配筋材、３・・・壁面用装飾体、３０・・・本体部、３１・・・支持部、４・・・取付部材
【要約】      （修正有）【課題】本発明は、装飾効果が高く修繕が容易な壁面構造及びそれに用いる壁面用装飾体を提供する。【解決手段】壁面構造は、配筋材２０を交差させて壁面を構成する支持部材２と、配筋材２０に配列されて支持部材２に取り付けられた複数の壁面用装飾体とを備え、壁面用装飾体は、外部に表出する装飾面が形成された本体部３０と、本体部３０の両端に配置されるとともに支持部材２に当接する一対の支持部３１とを備えており、支持部３１が隣り合うように支持部材２に取り付けられ、隣り合う支持部３１を覆うように別の配列方向に配列された壁面用装飾体の本体部３０が配置されている。【選択図】図５【図１】
0006810942.tif 000002
【図２】
0006810942.tif 000003
【図３】
0006810942.tif 000004
【図４】
0006810942.tif 000005
【図５】
0006810942.tif 000006
【図６】
0006810942.tif 000007
【図７】
0006810942.tif 000008
【図８】
0006810942.tif 000009